(57)【要約】【課題】本発明は、血糖値を測定する測定装置に関するものであって、片手で採血をすることができるよう、使い勝手をよくすることを目的とするものである。【解決手段】そして、その目的を達成するために、本発明は、手のひらと指先で保持される保持部を有する本体ケース１と、この本体ケース１内に設けられたレーザーユニット３とを備え、前記本体ケース１の保持部で、指先の内側が当接する部分に、前記レーザーユニット３からのレーザー照射口２を設けた。【選択図】図２
2010178820.tif 000002
【特許請求の範囲】
【請求項１】
手のひらと指先で保持される保持部を有する本体ケースと、この本体ケース内に設けられたレーザーユニットとを備え、前記本体ケースの保持部で、指先の内側が当接する部分に、前記レーザーユニットからのレーザー照射口を設けた測定装置。
【請求項２】
本体ケースは、上下面を有する枠体により形成し、この枠体の前面側にレーザー照射口を設けた請求項１に記載の測定装置。
【請求項３】
枠体前面の左右中央部にレーザー照射口を設けた請求項２に記載の測定装置。
【請求項４】
枠体前面の上下中央部より下方にレーザー照射口を設けた請求項３に記載の測定装置。
【請求項５】
レーザーユニットは、水平方向に配置した反射筒と、この反射筒内に水平方向で対向配置したフラッシュランプ及びレーザーロッドとにより構成し、前記レーザーロッドをレーザー照射口に対向させた請求項１から４のいずれか一つに記載の測定装置。
【請求項６】
反射筒は、上下方向に長くなった楕円筒により形成し、この楕円筒内において、フラッシュランプを下方、レーザーロッドを上方にして対向配置した請求項５に記載の測定装置。
【請求項７】
反射筒は、上下方向に長くなった楕円筒により形成し、この楕円筒内において、フラッシュランプを上方、レーザーロッドを下方にして対向配置した請求項５に記載の測定装置。
【請求項８】
レーザー照射口の前方に、カバーを配置し、このカバーの支持部は、本体ケースを構成する枠体の両側面に摺動自在に支持させた請求項２から７のいずれか一つに記載の測定装置。
【請求項９】
カバーの下部に支持部を一体化した請求項８に記載の測定装置。
【請求項１０】
本体ケースを構成する枠体の後面上方に、レーザーユニットの起動スイッチを設けた請求項２から９のいずれか一つに記載の測定装置。
【請求項１１】
レーザー照射口の近傍に採血手段を配置した請求項１から１０のいずれか一つに記載の測定装置。
【請求項１２】
採血手段は、測定センサで構成した請求項１１に記載の測定装置。
【発明の詳細な説明】
【技術分野】
【０００１】
本発明は、例えば、血糖値を測定する測定装置に関するものである。
【背景技術】
【０００２】
従来のこの種測定装置の構成は、以下のような構成になっていた。
すなわち、手のひらと指先で保持される保持部を有する本体ケースと、この本体ケース内に設けられたレーザーユニットとを備え、このレーザーユニットのレーザー照射口は本体ケースの保持部以外の部分に設けられていた（例えば、下記特許文献１）。
【特許文献１】国際公開第２００８／０８７９８２号パンフレット
【発明の開示】
【発明が解決しようとする課題】
【０００３】
上記従来例における課題は、例えば、血糖値を測定する場合、両手を用いて測定を行わなければならず、使い勝手をさらに向上させなければならないということであった。
すなわち、このような測定装置で測定を行う場合、例えば、右手で本体ケースの保持部を握り、その状態でこの保持部外に設けたレーザー照射口に左手を対向させ、これにて採血を行っていた、つまり両手を使った測定が必要で、使い勝手をさらに向上させることが望まれていたのである。そこで、本発明は、使い勝手を向上させることを目的とするものである。
【課題を解決するための手段】
【０００４】
そして、この目的を達成するために本発明は、手のひらと指先で保持される保持部を有する本体ケースと、この本体ケース内に設けられたレーザーユニットとを備え、前記本体ケースの保持部で、指先の内側が当接する部分に、前記レーザーユニットからのレーザー照射口を設け、これにより、所期の目的を達成するものである。
【発明の効果】
【０００５】
以上のごとく本発明は、手のひらと指先で保持される保持部を有する本体ケースと、この本体ケース内に設けられたレーザーユニットとを備え、前記本体ケースの保持部で、指先の内側が当接する部分に、前記レーザーユニットからのレーザー照射口を設けたので、使い勝手がよいものとなる。
【０００６】
すなわち、本発明においては、本体ケースの保持部を手のひらと指先で保持した状態で、指先の内側に当接する部分に、前記レーザーユニットからのレーザー照射口を設けているので、本体ケースを保持した状態で、これを保持した手の指先部分から採血することができる、つまり、片手で採血をすることができるので、使い勝手のよいものとなるのである。
【発明を実施するための最良の形態】
【０００７】
以下、本発明の一実施形態  として、血糖値を測定するものに適応した例を、図面を用いて説明する。
【０００８】
図１、図２において、本体ケース１は、上下面を有する角筒状の枠体により形成されている。さらに詳しくは、この本体ケース１を構成する枠体は、扁平状の枠体であって、図１、図２に示す左側が前面１Ａ、右側が後面１Ｂ、前側と後ろ側が側面１Ｃ、１Ｄとなり、この状態で前後面１Ａ、１Ｂ間の方が、両側面１Ｃ、１Ｄ間よりも広い扁平形状となっている。
【０００９】
そして、前記前面１Ａ側にレーザー照射口２を設けているが、このレーザー照射口２は、前面１Ａの左右中央部で、しかも前面１Ａの上下中央部より下方に設けている。
【００１０】
また、このレーザー照射口２の後方側の本体ケース１内には、図３に示すレーザーユニット３が配置されている。
このレーザーユニット３は、水平方向に配置した反射筒４と、この反射筒４内に水平方向で対向配置したフラッシュランプ５及びレーザーロッド６とにより構成され、前記レーザーロッド６の先端側（図３の左端側）が集光レンズ７を介して、前記レーザー照射口２に対向させられている。
【００１１】
また、反射筒４は、上下方向（本体ケース１の上面１Ｄ、１Ｅ方向）が、横方向（本体ケースの側面１Ｃ，１Ｄ方向）よりも長くなった楕円筒を、水平方向（本体ケース１の前面１Ａ、後面１Ｂ）に配置した構成となっており、この楕円筒内において、フラッシュランプ５を下方で水平方向に配置し、レーザーロッド６を上方で水平方向に配置し、これによりフラッシュランプ５、レーザーロッド６を対向させている。
【００１２】
つまり、このように、フラッシュランプ５がレーザーロッド６よりも下方に配置された場合、本体ケース１の下面１Ｅにフラッシュランプ５が近接するので、放熱対策を講じやすいものとなる。
【００１３】
また、図３とは逆に、反射筒４を、上下方向に長くなった楕円筒により形成し、この楕円筒内において、フラッシュランプ５を上方、レーザーロッド６を下方にして対向配置した場合には、フラッシュランプ５が上方に配置された分、レーザーロッド６の下方の本体ケース１内に、大きな部品配置空間を構成することができやすいものとなる。つまり、この大きな部品配置空間に制御基板（図示せず）を配置することもできるようになるのである。
【００１４】
また、図１、図２のごとく、本体ケース１の上面１Ｆには、液晶タイプの表示部８が配置されており、さらに、後面１Ｂの上方側には、レーザーユニット３の起動スイッチ９が配置されており、さらにまた、側面１Ｃの上方には、操作スイッチ１０が設けられている。
【００１５】
一方、レーザー照射口２の前方には、カバー１１を配置し、このカバー１１の両下部に一体化した支持部１１Ａは、それぞれ本体ケース１を構成する両側面１Ｃ、１Ｄに形成した摺動溝１２に摺動自在に支持させている。つまり、このカバー１１は、レーザー照射口２から照射されたレーザー光に対する保護カバーの機能をもっており、非測定時には図１のごとく本体ケース１の前面１Ａ側に近接させて閉じた状態とし、測定時には図２のごとく前面１Ａのさらに前方へと引き出し、開放した状態とするが、いずれの場合でもレーザー照射口２の前方にこのカバー１１が存在しているので、保護カバーとしての機能が発揮されるようになっている。
【００１６】
さて、本実施形態においては、レーザー照射口２には、図４、図５に示すごとく、指当て部１３の上方に形成したものであり、指当て部１３の下方は本体ケース１に対して、回動自在に軸支されており、指当て部１３の上方を図４のごとく、前方側に回動させた状態で、その後方に血糖値を測定する測定センサ１４が着脱自在に装着される。
【００１７】
この測定センサ１４は、本実施形態においては、血糖値を測定するものであって、レーザー照射口２に対向する部分には、貫通孔１４Ａが形成され、よってレーザーロッド６の先端（図３の左端）から集光レンズ７を介して出射したレーザー光は貫通孔１４Ａ、レーザー照射口２を介して、図６に示す指１５の指先内側に照射されることとなる。
【００１８】
つまり、図６は、右手で血糖値を測定しようとしているものであり、指当て部１３を図４から図２のごとく、その上方を後方側に起こし、この状態において右手で本体ケース１を、この図６のごとく保持し、指１５を指当て部１３に押し当て、測定を行う。さらに詳しくは、本実施形態における、本体ケース１は、この図６のごとく、手のひらと指先で保持される保持部が前面１Ａ、後面１Ｂ、側面１Ｃ，１Ｄにより構成されており、そのときに、一本の指１５を図６に示すごとく、レーザー照射口２の前に押し当て、その状態で、起動スイッチ９を操作すれば、その指１５の内面側にレーザー光が照射され、これにより、その部分から、血液が流出する。この血液が次に測定センサ１４の貫通孔１４Ａ側に、例えば、本体ケース１内側からの吸引力により供給され、この貫通孔１４Ａ近傍に配置した試薬により血糖値が測定され、その血糖値は表示部８に表示されることとなる。つまり、本実施形態においては、レーザー照射口２の近傍に採血手段が配置され、採血手段は、測定センサ１４で構成されたものである。なお、この実施形態では、レーザー光照射により、流出させた血液を吸引力により貫通孔１４Ａ側へと供給する構成としたが、例えば、カバー１１のレーザー照射口２側に設けた加圧手段（図示せず）により、指１５をレーザー照射口２側に押し付けることで、血液を貫通孔１４Ａに供給する構成としてもよい。
【００１９】
図７は、このようにして、血糖値の測定が行われた後に、測定センサ１４を交換のために取り外している状態を示しており、この時には、指当て部１３の上方を前方側へと倒し、それにより、表出した測定センサ１４の上部を指でつまんで引き出すこととなる。
【００２０】
この時、カバー１１の下部に支持部１１Ａを一体化しているので、このような測定センサ１４のつまみ出し、あるいは図４に示す測定センサ１４の装着は、カバー１１の上方に開けた空間（支持部１１Ａの不存在により形成された空間）を介して容易に行うことができる。
【００２１】
また、この空間（支持部１１Ａの不存在により形成された空間）を大きくするために、本体ケース１の前面１Ａのレーザー照射口２の上方部分には、窪み部１Ｎを形成している。
【００２２】
図６は、右手で採血および血糖値の測定を行ったものであるが、本実施形態においては、左手でも簡単にこの採血及び血糖値の測定を行うことができる。
【００２３】
つまり、本実施形態においては、上述したように、レーザー照射口２が、前面１Ａの左右中央部に配置しているので、左右の区別なくどちらの手でも片手で簡単に採血及び血糖値の測定を行うことができるものである。
【００２４】
なお、このレーザー照射口２は、前面１Ａの上下間の中央部より下方に設けているので、このように、片手で操作するときの保持に対するバランスがよいものとなるし、またその状態で、親指１６により起動スイッチ９を操作しやすいものと成っている。つまり、レーザー照射口２を、前面１Ａの上下間の中央部より上方に設けると、本体ケース１を片手で保持した場合、親指１６が上方に移動するので、起動スイッチ９を操作しにくいものとなる。
【００２５】
なお、操作スイッチ１０は、レーザーの出力を調整したり、検出した血糖値の履歴を表示部８で確認したりするためのものである。
【産業上の利用可能性】
【００２６】
以上のごとく本発明は、手のひらと指先で保持される保持部を有する本体ケースと、この本体ケース内に設けられたレーザーユニットとを備え、前記本体ケースの保持部で、指先の内側が当接する部分に、前記レーザーユニットからのレーザー照射口を設けたので、使い勝手がよいものとなる。
【００２７】
すなわち、本発明においては、本体ケースの保持部を手のひらと指先で保持した状態で、指先の内側に当接する部分に、前記レーザーユニットからのレーザー照射口を設けているので、本体ケースを保持した状態で、これを保持した手の指先部分から採血することができる、つまり、片手で採血をすることができるので、使い勝手のよいものとなるのである。
【００２８】
従って、各種測定装置における信頼性を高くするものとして、広く普及が期待されるものである。
【図面の簡単な説明】
【００２９】
【図１】本発明の一実施形態の斜視図
【図２】その使用状態を示す斜視図
【図３】その要部の拡大断面図
【図４】その使用状態を示す斜視図
【図５】その要部の前面側からの拡大前面図
【図６】その使用状態を示す側面図
【図７】その使用状態を示す斜視図
【符号の説明】
【００３０】
１    本体ケース
１Ａ    前面
１Ｂ    後面
１Ｃ、１Ｄ    側面
１Ｎ    窪み部
２    レーザー照射口
３    レーザーユニット
４    反射筒
５    フラッシュランプ
６    レーザーロッド
７    集光レンズ
８    表示部
９    起動スイッチ
１０    操作スイッチ
１１    カバー
１２    摺動溝
１３    指当て部
１４    測定センサ
１４Ａ    貫通孔
１５    指
１６    親指
【図１】
2010178820.tif 000003
【図２】
2010178820.tif 000004
【図３】
2010178820.tif 000005
【図４】
2010178820.tif 000006
【図５】
2010178820.tif 000007
【図６】
2010178820.tif 000008
【図７】
2010178820.tif 000009